(57)【要約】【課題】  ＦＡＸの相手先番号に携帯電話の番号を正確に指定して送信できるＦＡＸシステムを提供する。【解決手段】  ＦＡＸデータを送信するためのＦＡＸ装置１と、音声通話用の電話番号とＦＡＸ受信用の電話番号が予め割り当てられていると共に、ブラウザ機能有する携帯電話６と、携帯電話６のＦＡＸ受信用の電話番号を送信先とするＦＡＸデータを受信すると、受信したＦＡＸデータをＨＴＭＬ文書に変換し、送信先の携帯電話に対して変換されたＨＴＭＬ文書のＵＲＬをメールにより通知するＦＡＸセンタ４とを備え、通知されたＵＲＬにアクセスすることよってＦＡＸ装置１から送信されたＦＡＸデータをＨＴＭＬ文書として受信し、携帯電話６のブラウザ機能によってＦＡＸデータの内容を閲覧できる。【選択図】図１
2005311508.tif 000002
【特許請求の範囲】
【請求項１】
ＦＡＸデータを送信するためのＦＡＸ装置と、
音声通話用の電話番号とＦＡＸ受信用の電話番号が予め割り当てられているとともに、ブラウザ機能有する携帯電話と、
携帯電話のＦＡＸ受信用の電話番号を送信先とするＦＡＸデータを受信すると、受信したＦＡＸデータをＨＴＭＬ文書に変換し、送信先の携帯電話に対して変換されたＨＴＭＬ文書のＵＲＬをメールにより通知するＦＡＸセンタとを備え、
上記ＦＡＸセンタから通知されたＵＲＬにアクセスすることよって上記ＦＡＸ装置から送信されたＦＡＸデータをＨＴＭＬ文書として受信し、携帯電話のブラウザ機能によってＦＡＸデータの内容を閲覧できるようにしたことを特徴とするＦＡＸシステム。
【請求項２】
上記ＦＡＸ装置が送信するＦＡＸデータの送信先が携帯電話の電話番号である時、優先的にＦＡＸデータを上記ＦＡＸセンタに転送することを特徴とする請求項１に記載のＦＡＸシステム。
【請求項３】
上記ＦＡＸセンタは、受信したＦＡＸデータを画像データに変換するＦＡＸモデム、上記ＦＡＸモデムで変換された画像データから文字列を抽出するＯＣＲ部、上記ＯＣＲ部で抽出された文字列を携帯電話にメール送信するメール送信部とで構成されていることを特徴とする請求項１または２に記載のＦＡＸシステム。
【発明の詳細な説明】
【技術分野】
【０００１】
この発明は、携帯電話機を利用することによりＦＡＸセンターが受信している自分宛のＦＡＸデータを参照することができるＦＡＸシステムに関する。
【背景技術】
【０００２】
本発明に関連すると思われる従来技術としては、特許文献１（特開平１０−１５０４６２号公報）に記載されているファクシミリサーバが挙げられる。
特許文献１に示されたファクシミリサーバは、受信したＦＡＸデータ（写真・文書・図形などの２次元画像を電気信号に換え、通信回線を通して伝送されるデータ）をＨＴＭＬ形式に変換し、ＷＷＷサーバに格納する。
なお、ＨＴＭＬ（hypertextmarkup language）とは、ＷＷＷ（worldwide web：ハイパテキストを使ったインターネットの情報サービス）用の文書記述言語のことであり、サーバとは、ネットワーク上で多のコンピュータやソフト、即ちクライアントにサービスを提供するコンピュータのことである。
【０００３】
ファクシミリを受信すると、ＨＴＭＬ文書のＵＲＬ（uniform resource locator：インターネットに分散しているファイルなどの情報資源の格納場所を一意に指定するための表記方法のこと）が電子メールにより受取人に通知される。
そして、受取人はＷｅｂブラウザ（browser：データファイルの中身に目を通すためのソウトウェアのこと）を用いて、通知されたＵＲＬに格納されているファクシミリのメッセージを参照する。
【特許文献１】特開平１０−１５０４６２号公報（図１、図５）
【発明の開示】
【発明が解決しようとする課題】
【０００４】
上述した従来のファクシミリサーバでは、ＦＡＸデータの１ページ目に記述される宛先は手書きである可能性がある。
宛先が手書きされている場合、ファクシミリサーバの高機能なＯＣＲ（opticalcharacter reader：光学式文字読み取り装置のこと）機能をもってしても、宛先を正確に認識できない可能性がある。
この発明は、このような問題点を解決するためになされたもので、一般のＦＡＸ装置の相手先番号に携帯電話の番号を正確に指定して送信できるＦＡＸシステムを提供することを目的とする。
【課題を解決するための手段】
【０００５】
この発明に係るＦＡＸシステムは、ＦＡＸデータを送信するためのＦＡＸ装置と、音声通話用の電話番号とＦＡＸ受信用の電話番号が予め割り当てられているとともに、ブラウザ機能有する携帯電話と、携帯電話のＦＡＸ受信用の電話番号を送信先とするＦＡＸデータを受信すると、受信したＦＡＸデータをＨＴＭＬ文書に変換し、送信先の携帯電話に対して変換されたＨＴＭＬ文書のＵＲＬをメールにより通知するＦＡＸセンタとを備え、
上記ＦＡＸセンタから通知されたＵＲＬにアクセスすることよって上記ＦＡＸ装置から送信されたＦＡＸデータをＨＴＭＬ文書として受信し、携帯電話のブラウザ機能によってＦＡＸデータの内容を閲覧できるようにしたものである。
【発明の効果】
【０００６】
本発明のＦＡＸシステムによれば、一般のＦＡＸ装置の相手先番号に携帯電話の番号を誤認識することなく正確に指定して送信できるので、確実に相手先にＦＡＸデータを送付することができるＦＡＸシステムを実現できる。
また、ＦＡＸ受信機能がない携帯電話であっても、自分宛に送信されたＦＡＸの内容を
確認することができる。
【発明を実施するための最良の形態】
【０００７】
以下、図面に基づいて本発明の一実施の形態について説明する。
なお、各図間において、同一符号は同一あるいは相当のものを表す。
実施の形態１．
図１は、本発明の実施の形態１に係るＦＡＸシステムの構成を示すブロック図である。
図において、１はファクシミリ装置（ＦＡＸ装置：単にＦＡＸとも称す）、２は公衆回線網、３はＦＡＸ送信の発信先が携帯電話に割り当てられたＦＡＸ番号である時に受信したＦＡＸデータをＦＡＸセンタに転送する機能を持つ携帯電話網の交換機、４は受信したＦＡＸデータをＨＴＭＬ（hypertext markup language）文書化し、Ｗｅｂ公開する機能を持つＦＡＸセンタ、５は携帯電話網の基地局、６はブラウザ（データファイルの中身に目を通すためのソウトウェア）機能を持つ携帯電話である。
【０００８】
図２は、図１おいて、ＦＡＸセンタ４の構成を具体的に示したブロック図である。
ＦＡＸセンタ4の構成について、図２を用いて説明する。
７は電話回線（公衆回線網２と交換機３を含んだ回線）から受信したＦＡＸデータを画像データに変換するＦＡＸモデム、８は上記画像データから携帯電話閲覧用HTML文書を作成する機能を持つＨＴＭＬ作成部、９はＨＴＭＬ作成部８に含まれ、ＦＡＸモデム7で変換された画像データをＪＰＥＧおよびＧＩＦ形式画像データに変換する機能を持つ画像変換部、１０はＨＴＭＬ作成部8に含まれ、ＦＡＸモデム7で変換された画像データから文字列を抽出する機能を持つＯＣＲ部である。
また、１１はＨＴＭＬ作成部８で作成されたＨＴＭＬ文書を保存公開するWｅｂサーバ、１２はWｅｂサーバ１１に保存されているＨＴＭＬ文書を参照しているＵＲＬを携帯電話へメール送信通知するメール送信部、１３はＦＡＸモデム７、ＨＴＭＬ作成部８、Ｗｅｂサーバ１１およびメール送信部１２を制御する制御部である。
【０００９】
図３は、ＦＡＸセンタ４の処理フローを説明するためのフローチャートである。
図３を用いて、ＦＡＸセンタ４の処理フローについ説明する。
図３（ａ）に示すように、ＦＡＸセンタ４は、ＦＡＸモデム７を制御することによって、ＦＡＸデータを受信し（Ｆ１）、ＦＡＸデータを画像データへ変換する（Ｆ２）。
そして、ＨＴＭＬ作成部8を制御することによって、画像データからＨＴＭＬ文書を作成し（Ｆ３）、ＷＥＢサーバ１１へ保存する（Ｆ４）。
そして、メール送信部１２を制御することによって、作成されたＨＴＭＬ文書を参照しているＵＲＬを携帯電話へメールで送信する（Ｆ５）。
その後、図３（ｂ）に示すように、携帯電話からHTML文書を参照しているURLアクセス要求を受信する（Ｆ６）と、HTML文書を携帯電話に送信する（Ｆ７）。
【００１０】
図４は、本実施の形態によるＦＡＸシステムの動作を説明するためのシーケンス図である。
図４を用いて、本実施の形態によるＦＡＸシステムの動作を説明する。
まず、前提として携帯電話に音声通話用の電話番号とＦＡＸ受信用の電話番号が割り当てられているものとする。
ユーザが、発信先を携帯電話６のＦＡＸ受信用の電話番号として、ＦＡＸ１からＦＡＸ送信する（Ｓ１）。
ＦＡＸ発信を検知した交換機３は、発信先がＦＡＸ受信用の電話番号であると判断し、ＦＡＸセンタ４へ転送する（Ｓ２）。
【００１１】
ＦＡＸセンタ４はＦＡＸ１からＦＡＸデータを受信する（Ｓ３）と、ＦＡＸデータをＨＴＭＬ文書に変換し、携帯電話６に対してＨＴＭＬ文書を参照しているＵＲＬをメールにより通知する（Ｓ４）。
携帯電話６のユーザが通知されたＵＲＬにアクセス（Ｓ５）することによって、ＦＡＸセンタ４はＦＡＸデータの内容をＨＴＭＬ文書として送信する（Ｓ６）。
これにより、携帯電話６のユーザは、携帯電話のブラウザ機能によってＦＡＸデータの内容を確認することができる。
【００１２】
以上説明したように、本実施の形態によるＦＡＸシステムは、ＦＡＸデータを送信するためのＦＡＸ装置１と、音声通話用の電話番号とＦＡＸ受信用の電話番号が予め割り当てられているとともに、ブラウザ機能有する携帯電話６と、携帯電話６のＦＡＸ受信用の電話番号を送信先とするＦＡＸデータを受信すると、受信したＦＡＸデータをＨＴＭＬ文書に変換し、送信先の携帯電話に対して変換されたＨＴＭＬ文書のＵＲＬをメールにより通知するＦＡＸセンタ４とを備え、ＦＡＸセンタ４から通知されたＵＲＬにアクセスすることよってＦＡＸ装置１から送信されたＦＡＸデータをＨＴＭＬ文書として受信し、携帯電話６のブラウザ機能によってＦＡＸデータの内容を閲覧できるようにしたものである。
【００１３】
本実施の形態によるＦＡＸシステムによれば、既存のＦＡＸ装置に携帯電話に割り当てられたＦＡＸ番号を入力することによって、相手先に携帯電話の番号を指定してＦＡＸの送信が行えるという効果がある。
また、従来技術では、ＦＡＸデータに記述された宛先は手書きである可能性があり、高機能なＯＣＲ機能を有していても、宛先を正確に認識できない可能性があったが、本実施の形態によれば、宛先の誤認識がなくなり、確実に相手先に送付することができるという効果がある。
また、ＦＡＸ受信機能がない携帯電話であっても、自分宛に送信されたＦＡＸの内容を
確認することができるという効果がある。
【００１４】
実施の形態２．
図５は、実施の形態２に係るＦＡＸシステムの構成を示すブロック図である。
図において、１はファクシミリ装置であるＦＡＸ、２は公衆回線網、３０はＦＡＸの送信先が携帯電話の番号である時にＦＡＸセンタに優先的に転送する機能(ＯＮ／ＯＦＦ可能)を持つ携帯電話網の交換機、４は受信したＦＡＸデータをＨＴＭＬ文書化しＷＥＢ公開する機能を持つＦＡＸセンタ、５は携帯電話網の基地局、６はブラウザ機能を持つ携帯電話である。
ＦＡＸセンタ４についての構成図と処理フローは、実施の形態1の場合と同様である。
【００１５】
図６は、本実施の形態における交換機３０の構成と動作を説明するための図である。
図６中の１５は交換スイッチ制御と経路表検索の機能を持つ制御部、１６は電話番号、接続先とＦＡＸセンタに優先的に転送する機能のＯＮ（オン）／ＯＦＦ（オフ）状態とを列とする経路表、１７は制御部15により制御される交換スイッチである。
また、図７は、交換機3０の処理フローを示すフローチャートである。
図７を用いて、交換機３０の処理フローについ説明する。
【００１６】
図中の交換機3０は、呼設定情報を受信する（Ｇ１）と、次の接続先を決定するため呼設定情報内の宛先電話番号から経路表検索を行う（Ｇ２）。
検索対象電話番号のＦＡＸ優先転送機能がＯＮであった場合は、接続先を上記ＦＡＸセンタ４として、呼接続を行う（Ｇ３）。
検索対象電話番号のＦＡＸ優先転送機能がＯＦＦであった場合は、経路表の接続先の交換機へ呼接続を行う（Ｇ４）。
次に、ＦＡＸシステムの動作について、図８のシーケンス図により説明する。
携帯電話６のユーザは、このサービスを利用するために、予め交換機３に対してＦＡＸ転送機能をＯＮにするよう通知する（Ｔ１）。
ＦＡＸ１のユーザが、発信先を携帯電話６の電話番号として、ＦＡＸ１からＦＡＸ送信する（Ｔ２）。
【００１７】
ＦＡＸ発信を検知した交換機３０は、発信先が携帯電話６の電話番号と判断し、また、ＦＡＸ転送機能がＯＮであるため、ＦＡＸセンタ４へ転送する（Ｔ３）。
ＦＡＸセンタ４はＦＡＸ１からＦＡＸデータを受信する（Ｔ４）と、ＦＡＸデータをＨＴＭＬ文書に変換し、携帯電話６に対してＨＴＭＬ文書を参照しているＵＲＬをメールにより通知する（Ｔ５）。
携帯電話６のユーザは、通知されたＵＲＬにアクセス（Ｔ６）することで、ＦＡＸデータの内容をＨＴＭＬ文書として受信し（Ｔ７）、携帯電話のブラウザ機能によってＦＡＸデータの内容を確認（閲覧）することができる。
【００１８】
以上説明したように、本実施の形態によるＦＡＸシステムは、実施の形態１における交換機３に代えて、ＦＡＸ装置１が送信するＦＡＸデータの送信先が携帯電話６の電話番号である時、優先的にＦＡＸデータをＦＡＸセンタ４に転送する交換機３０を備えている。
これにより、前述の実施の形態１によるＦＡＸシステムの効果に加え、ＦＡＸ送信側が相手先である携帯電話番号を入力するだけで優先的にＦＡＸ送信が行えるため、ＦＡＸ用番号であるか携帯電話用番号であるかを意識する必要がなく、利便性が向上するという効果がある。
【００１９】
実施の形態３．
図９は、実施の形態３によるＦＡＸシステムの構成を示す図であり、本実施の形態ではＦＡＸセンタの構成に特徴がある。
図において、４０は受信したＦＡＸデータから文字列を抽出し、その文字列を携帯電話へメール送信する機能を持つＦＡＸセンタであり、図９を用いてＦＡＸセンタ４０の構成を説明する。
７は電話回線から受信したＦＡＸデータを画像データに変換するＦＡＸモデム、１９はＦＡＸモデム７により変換された画像データから文字列を抽出する機能を持つＯＣＲ部、２０はＯＣＲ部１９が出力した文字列を携帯電話へメール送信するメール送信部、２１はＦＡＸモデム７、ＯＣＲ部１９およびメール送信部２０を制御する制御部である。
【００２０】
次に、ＦＡＸセンタ４０の処理フローについて、図１０を用いて説明する。
ＦＡＸセンタ４０は、ＦＡＸモデム７を制御することによってＦＡＸデータを受信し（Ｈ１）、ＦＡＸデータを画像データへ変換する（Ｈ２）。
そして、ＯＣＲ部１９を制御することによって画像データから文字列を抽出し（Ｈ３）、メール送信部２０を制御することによってＯＣＲ部１９から出力された文字列を携帯電話６へメール送信する（Ｈ４）。
なお、図９では、交換機は、実施の形態１によるＦＡＸシステムで用いられた交換機３を示しているが、この交換機３に代えて実施の形態２によるＦＡＸシステムで用いられた交換機３０（即ち、ＦＡＸの送信先が携帯電話の番号である時にＦＡＸセンタに優先的に転送する機能を持つ携帯電話網の交換機）であってもよい。
【００２１】
以上説明したように、本実施の形態によるＦＡＸシステムのＦＡＸセンタ４０は、受信したＦＡＸデータを画像データに変換するＦＡＸモデム７、ＦＡＸモデム７で変換された画像データから文字列を抽出するＯＣＲ部１９、ＯＣＲ部１９で抽出された文字列を携帯電話６にメール送信するメール送信部２０とで構成されている。
実施の形態１あるいは実施の形態２によるＦＡＸシステムでは、携帯電話６のユーザがＦＡＸ内容を確認するためには、Ｗｅｂサーバへアクセスする必要があったが、本実施の形態によるＦＡＸシステムによれば、メールによってＦＡＸ内容を直接携帯電話に送れるという効果がある。
【産業上の利用可能性】
【００２２】
この発明は、宛先の誤認識がなくなり、ＦＡＸ装置から送信されたＦＡＸデータを確実に相手先の携帯電話に送付することができるＦＡＸシステムの実現に有用である。
【図面の簡単な説明】
【００２３】
【図１】実施の形態１に係るＦＡＸシステムの構成を示すブロック図である。
【図２】実施の形態１おけるＦＡＸセンタの構成を具体的に示すブロック図である。
【図３】実施の形態１おけるＦＡＸセンタの処理フローを説明するためのフローチャートである。
【図４】実施の形態１に係るＦＡＸシステムの動作を説明するためのシーケンス図である。
【図５】実施の形態２に係るＦＡＸシステムの構成を示すブロック図である。
【図６】実施の形態２における交換機の構成と動作を説明するための図である
【図７】実施の形態２における交換機の処理フローを示すフローチャートである。
【図８】実施の形態２に係るＦＡＸシステムの動作を説明するためのシーケンス図である。
【図９】実施の形態３に係るＦＡＸシステムの構成を示す図である。
【図１０】実施の形態３における交換機の処理フローを示すフローチャートである。
【符号の説明】
【００２４】
１  ＦＡＸ装置            ２  公衆回線網            ３  交換機
４  ＦＡＸセンタ          ５  基地局                ６  携帯電話
７  ＦＡＸモデム          ８  ＨＴＭＬ作成部        ９  画像変換部
１０  ＯＣＲ部            １１  Ｗｅｂサーバ        １２  メール送信部
１３  制御部              １４  インターネット部    １５  制御部
１６  経路表              １７  交換スイッチ        １９  ＯＣＲ部
２０  メール送信部        ２１  制御部              ３０  交換機
４０  ＦＡＸセンタ
【図１】
2005311508.tif 000003
【図２】
2005311508.tif 000004
【図３】
2005311508.tif 000005
【図４】
2005311508.tif 000006
【図５】
2005311508.tif 000007
【図６】
2005311508.tif 000008
【図７】
2005311508.tif 000009
【図８】
2005311508.tif 000010
【図９】
2005311508.tif 000011
【図１０】
2005311508.tif 000012